(57)【要約】【課題】圧迫感や閉塞感を感じることがなく、設置スペースが小さく、運搬やレイアウト変更等の際に取り回ししやすく、レイアウトの自由度が高い自立式パーティションを提供する。【解決手段】床面若しくは地面Ｅに接地するベース部材２と、ベース部材２に立設されて上方へ伸びる仕切部材３とからなる、起き上がりこぼし状に動作するパーティション構成体１の複数を並置して自立式パーティションＰを形成するので、圧迫感や閉塞感を感じることがないとともに、レイアウトの自由度が非常に高くなる。ベース部材２がコンパクトになるので、設置スペースが小さくなるとともに、運搬やレイアウト変更等の際に取り回ししやすくなる。風力等により揺れ動くことから、幾何学的で動きの無いオフィス等の空間に動きが生まれるので、周囲の人に癒し感や安らぎ感を与えることができる。【選択図】図１
2018031232.tif 000002
【特許請求の範囲】
【請求項１】
並置することにより空間を仕切る自立式パーティションを形成する、単体で自立するパーティション構成体であって、
床面若しくは地面、又は床面又は地面上に設置した部材に接地するベース部材と、
前記ベース部材に立設されて上方へ伸びる仕切部材と、
からなり、
前記ベース部材は倒れ方向へ傾く角度の大きさによって接地点が変わる曲面部を有し、
前記ベース部材が前記倒れ方向へ傾いた状態で、前記ベース部材及び前記仕切部材を含む前記構成体全体の重心が、前記接地点上の鉛直線と前記倒れ方向を含む平面に直交する、前記鉛直線を含む平面よりも前記ベース部材の底側に位置することを特徴とするパーティション構成体。
【請求項２】
前記ベース部材は永久磁石を含み、前記構成体を並置して前記自立式パーティションを形成する際に隣り合う前記ベース部材同士を磁気吸引力で連結可能としてなる請求項１記載のパーティション構成体。
【請求項３】
前記仕切部材を複数の可撓性部材により形成してなる請求項１又は２記載のパーティション構成体。
【請求項４】
前記仕切部材は蓄光体又は発光体を備える請求項１〜３の何れか１項に記載のパーティション構成体。
【請求項５】
請求項１〜４の何れか１項に記載のパーティション構成体の複数を並置してなる自立式パーティション。
【請求項６】
床面又は地面に敷設したレール上に請求項１〜４の何れか１項に記載のパーティション構成体の複数を並置してなる自立式パーティション。
【請求項７】
請求項１記載のパーティション構成体の複数を離間させて並置し、前記パーティション構成体同士の間に薄膜体を着脱可能に取り付けてなる自立式パーティション。
【発明の詳細な説明】
【技術分野】
【０００１】
本発明は、空間を仕切って有効活用するために用いる自立式パーティションに関する。
【背景技術】
【０００２】
空間を仕切るパーティションとして、床固定や補助脚が無くても自立する、床面への設置や撤去が比較的簡単な自立式パーティションがある（例えば、特許文献１ないし３、及び非特許文献１参照）。
特許文献１の自立式パーティションは、矩形状枠体に間仕切り袋を被せて軽量化を図り、矩形状枠体の上棧及び下棧を平面的に同一方向へ円弧状に湾曲させた形態により自立を可能にしている。
また、特許文献２の自立式パーティションは、細目で縦長の多数のパネル部材を、各パネル部材同士の左右幅方向において屈曲可能に連結し、任意の平面投影形状に屈曲させた形態にすることより自立を可能にしている。
さらに、特許文献３の自立式パーティションは、パーティションモジュールの複数個を並べてなり、パーティションモジュールを適宜平面形状で重いベース部材と前記ベース部材の上に列状に植設された複数本の可撓性仕切り部材とで構成することにより、パーティションモジュール単体で自立を可能にしている。
さらにまた、非特許文献１の自立式パーティションは、矩形板状で重いベース部材に複数の細い棒状部材を立設する構成により自立を可能にしている。
【先行技術文献】
【特許文献】
【０００３】
【特許文献１】特開２００６−３１６４９９号公報
【特許文献２】特開平７−３４５７３号公報
【特許文献３】特開平７−４７０２５号公報
【非特許文献】
【０００４】
【非特許文献１】パーティション“スティック”、TISTOUのウェブページ、［平成２８年８月１８日検索］、インターネット＜URL:http://www.tistou.jp/sticks＞
【発明の概要】
【発明が解決しようとする課題】
【０００５】
特許文献１の自立式パーティションは、比較的大きな矩形状枠体を用いるのでレイアウトの自由度が低く、間仕切り袋の面で空間を仕切るため、空間をきっちりと仕切ることができる反面、圧迫感や閉塞感のある雰囲気になりがちである。
また、特許文献２の自立式パーティションは、細目で縦長の多数のパネル部材を屈曲可能に連結していることから、フレキシブルな曲線状のレイアウトが可能なものである。しかしながら、パネル部材の面で空間を仕切るため、空間をきっちりと仕切ることができる反面、圧迫感や閉塞感のある雰囲気になりがちである。
【０００６】
これらに対して特許文献３及び非特許文献１のような自立式パーティションは、面で空間を仕切らずに可撓性仕切部材や細い棒状部材で空間を仕切るため、圧迫感や閉塞感を感じることはなくなる。
しかしながら、特許文献３及び非特許文献１のような自立式パーティションは、自立した状態を安定させて倒れないようにするために、接地面積が大きくて重い板状のベース部材を用いているので、設置スペースが増大するとともに、運搬やレイアウト変更等の際に取り回しにくい場合がある。
その上、非特許文献１の自立式パーティションは、矩形板状のベース部材を並べることから直線的なレイアウトが基本であるのでレイアウトの自由度が低くなる。
その上さらに、特許文献３の自立式パーティションは、ベース部材の平面形状が大きいことから隣接するベース部材同士を相互に凹凸係合するようにしており、凹凸係合可能な範囲でフレキシブルな曲線状のレイアウトを形成するので、レイアウトの自由度に制限がある。
【０００７】
そこで、本発明が前述の状況に鑑み、解決しようとするところは、圧迫感や閉塞感を感じることがなく、設置スペースが小さく、運搬やレイアウト変更等の際に取り回ししやすく、レイアウトの自由度が高い自立式パーティションを提供する点にある。
【課題を解決するための手段】
【０００８】
本発明に係るパーティション構成体は、前記課題解決のために、並置することにより空間を仕切る自立式パーティションを形成する、単体で自立するパーティション構成体であって、
床面若しくは地面、又は床面又は地面上に設置した部材に接地するベース部材と、
前記ベース部材に立設されて上方へ伸びる仕切部材と、
からなり、
前記ベース部材は倒れ方向へ傾く角度の大きさによって接地点が変わる曲面部を有し、
前記ベース部材が前記倒れ方向へ傾いた状態で、前記ベース部材及び前記仕切部材を含む前記構成体全体の重心が、前記接地点上の鉛直線と前記倒れ方向を含む平面に直交する、前記鉛直線を含む平面よりも前記ベース部材の底側に位置することを特徴とする（請求項１）。
【０００９】
このような構成によれば、ベース部材は倒れ方向へ傾く角度の大きさによって接地点が変わる曲面部を有するとともに、ベース部材が前記倒れ方向へ傾いた状態で、前記ベース部材及び前記仕切部材を含む前記構成体全体の重心が、前記接地点上の鉛直線と前記倒れ方向を含む平面に直交する、前記鉛直線を含む平面よりも前記ベース部材の底側に位置することから、起き上がりこぼし状に動作するので、風力や人力等により仕切部材を倒す方向の力が作用して傾斜しても、パーティション構成体は直立状態に復帰する。
よって、特許文献３及び非特許文献１のように接地面積を大きくした板状のベース部材にする必要はなく、ベース部材がコンパクトになるので、設置スペースが小さくなるとともに、運搬やレイアウト変更等の際に取り回ししやすくなる。
その上、パーティション構成体を並置してなる自立式パーティションにおいて、面で空間を仕切らずにパーティション構成体毎に存在する仕切部材で空間を仕切るため、圧迫感や閉塞感を感じることがない。
その上さらに、パーティション構成体を並置してなる自立式パーティションにおいて、風力や人力等により揺れ動くことから、幾何学的で動きの無いオフィス等の空間に動きが生まれるので、周囲の人に癒し感や安らぎ感を与えることができる。
その上、起き上がりこぼし状に動作するパーティション構成体を床面若しくは地面、又は床面又は地面上に設置した部材に並置して自立式パーティションを形成するので、レイアウトの自由度が非常に高くなる。
【００１０】
ここで、前記ベース部材は永久磁石を含み、前記構成体を並置して前記自立式パーティションを形成する際に隣り合う前記ベース部材同士を磁気吸引力で連結可能としてなるのが好ましい実施態様である（請求項２）。
【００１１】
このような構成によれば、磁気吸引力によりベース部材同士を容易に連結できるとともに、連結したベース部材同士を容易に分離できる。
よって、隣り合うパーティション構成体同士を連結することにより、パーティション構成体単体の前記起き上がりこぼし状に動作する力が弱い場合であっても自立式パーティションに所要の安定性を保持させることができるとともに、隣り合うパーティション構成体同士が衝突して音を立てることがなくなる。
その上、連結したベース部材同士を分離することにより、運搬やレイアウト変更等の際の取り回しに支障が生じることがない。
その上さらに、磁気吸引力により連結した複数のパーティション構成体が揺れ動く際に、磁気吸引力が相互に作用するので、より有機的な連動性のある動きが可能となる。
【００１２】
また、前記仕切部材を複数の可撓性部材により形成してなるのも好ましい実施態様である（請求項３）。
このような構成によれば、パーティション構成体の単体に備えた複数の可撓性部材が風力等により揺れ動きやすく、より自然な印象を与えるので、周囲の人に癒し感や安らぎ感を与える効果が大きくなる。
その上、可撓性部材の本数を選択することにより、目隠し可能範囲を調節できる。
【００１３】
さらに、前記仕切部材は蓄光体又は発光体を備えるのも好ましい実施態様である（請求項４）。
このような構成によれば、仕切部材が備える蓄光体又は発光体により夜間消灯時や非常時における足元の視認性が高まるので安全性が高くなる。
その上、屋外で使用することで前記蓄光体又は発光体により庭等のデコレーション効果があるとともに、防犯性を高める効果もある。
【００１４】
本発明に係る自立式パーティションは、前記パーティション構成体の複数を並置してなるものである（請求項５）。
よって、前記パーティション構成体の作用効果と同様の作用効果を奏するとともに、自立式パーティションを形成するパーティション構成体の数を増減することにより、自立式パーティションのサイズを容易に変更できる。
【００１５】
また、本発明に係る自立式パーティションは、床面又は地面に敷設したレール上に前記パーティション構成体の複数を並置してなるものである（請求項６）。
よって、前記パーティション構成体の作用効果と同様の作用効果を奏するとともに、自立式パーティションを形成するパーティション構成体の数を増減することにより、自立式パーティションのサイズを容易に変更できる。
その上、任意の平面形状のレール上にパーティション構成体を並置することから、パーティション構成体をレール上に位置決めしながら迅速に並べることができるとともに、パーティション構成体を綺麗に並べることができるので自立式パーティションの見栄えがよくなる。
特に前記レールをフレキシブルなもとし、その平面形状を可変にすれば、自立式パーティションの平面形状の変更作業が容易になる。
【００１６】
さらに、本発明に係る自立式パーティションは、前記請求項１に係る発明のパーティション構成体の複数を離間させて並置し、前記パーティション構成体同士の間に薄膜体を着脱可能に取り付けてなるものである（請求項７）。
よって、前記請求項１に係る発明のパーティション構成体と略同様の作用効果を奏する。
ただし、前記パーティション構成体を離間させずに並置して自立式パーティションにする構成ではなく、パーティション構成体同士の間に取り付けた、可撓性のある薄膜体の面で空間を仕切る構成であり、前記薄膜体は、例えば、透明や半透明にすること又は着色したり模様を付すことも容易であるので、圧迫感や閉塞感を与えにくい構成にすることができる。
その上、前記パーティション構成体を離間させずに並置して自立式パーティションにするものよりもパーティション構成体の数を減らすことができるので、コストを低減できる。
その上さらに、薄膜体は、例えば合成樹脂製フィルム等であることから、可撓性があるとともに非常に軽量であり、さらに着脱可能であるので、運搬やレイアウト変更等の際における取り回しが非常に容易になる。
その上、薄膜体によりパーティション構成体同士が繋がっていることから、複数のパーティション構成体が揺れ動く際に、より有機的な連動性のある動きが可能となる。
【発明の効果】
【００１７】
以上のとおり、本発明に係るパーティション構成体、及び自立式パーティションによれば、主に以下に示すような効果を奏する。
（１）パーティション構成体が起き上がりこぼし状に動作することからベース部材がコンパクトになるので、設置スペースが小さくなるとともに、運搬やレイアウト変更等の際に取り回ししやすくなる。
（２）パーティション構成体を並置してなる自立式パーティションにおいて、面で空間を仕切らずにパーティション構成体毎に存在する仕切部材で空間を仕切るため、圧迫感や閉塞感を感じることがない。
（３）パーティション構成体を並置してなる自立式パーティションにおいて、風力や人力等により揺れ動くことから、幾何学的で動きの無いオフィス等の空間に動きが生まれるので、周囲の人に癒し感や安らぎ感を与えることができる。
（４）起き上がりこぼし状に動作するパーティション構成体を床面又は地面に並置して自立式パーティションを形成するので、レイアウトの自由度が非常に高くなる。
（５）パーティション構成体の複数を離間させて並置し、パーティション構成体同士の間に着脱可能に取り付けた、可撓性のある薄膜体の面で空間を仕切る構成の自立式パーティションでは、パーティション構成体の数を減らすことができるので、コストを低減できる。
（６）前記薄膜体の面で空間を仕切る構成の自立式パーティションでは、薄膜体は、可撓性があるとともに非常に軽量であり、さらに着脱可能であるので、運搬やレイアウト変更等の際における取り回しが非常に容易になる。
【図面の簡単な説明】
【００１８】
【図１】本発明の実施の形態に係る自立式パーティションのレイアウトの一例を示す斜視図である。
【図２】本発明の実施の形態に係るパーティション構成体の斜視図である。
【図３】同じく要部拡大正面図である。
【図４】パーティション構成体が倒れ方向に傾いた状態を示す要部拡大正面図であり、（ａ）は鉛直から水平の中間の傾斜角度で傾いた状態、（ｂ）は水平まで傾いた状態を示している。
【図５】パーティション構成体が倒れ方向に傾いた状態から鉛直状態に復帰する動作を示す説明図である。
【図６】ベース部材の底を平面にした変形例を示す要部拡大正面図である。
【図７】パーティション構成体が倒れ方向に傾いた状態を示す要部拡大正面図であり、（ａ）は鉛直から水平の中間の傾斜角度で傾いた状態、（ｂ）は水平まで傾いた状態を示している。
【図８】床面又は地面に敷設したレール上にパーティション構成体を並置して自立式パーティションとしたレイアウトの一例を示す斜視図である。
【図９】ベース部材に永久磁石を備えることによりベース部材同士を連結した例を示しており、（ａ）は平面図、（ｂ）は斜視図である。
【図１０】変形例を示す斜視図であり、（ａ）はベース部材の上部を平面視六角形状に形成した例、（ｂ）はベース部材の上部を平面視五角形状に形成した例、（ｃ）は仕切部材を板状に形成した例を示している。
【図１１】図１０（ａ）のパーティション構成体を並置して自立式パーティションを形成した一例を示しており、（ａ）は平面図、（ｂ）は斜視図である。
【図１２】図１０（ｃ）のパーティション構成体を並置して自立式パーティションを形成した一例を示しており、（ａ）は平面図、（ｂ）は斜視図である。
【図１３】複数の可撓性部材により仕切部材を形成した例を示す斜視図であり、（ａ）はパーティション構成体を、（ｂ）はパーティション構成体を並置して自立式パーティションを形成した一例を、（ｃ）は可撓性部材の先端に装飾具を取り付けた例を示している。
【図１４】仕切部材に蓄光体又は発光体を備えた例を示す斜視図である。
【図１５】パーティション構成体の複数を離間させて並置し、パーティョン構成体同士の間に薄膜体を取り付けて自立式パーティションにした例を示す斜視図である。
【発明を実施するための形態】
【００１９】
次に、添付図面に示した実施形態に基づき、本発明を更に詳細に説明する。
図１の斜視図に示すように、本発明の実施の形態に係る自立式パーティションＰは、単体で自立するパーティション構成体１の複数を床面又は地面Ｅに並置することにより形成される。よって、パーティション構成体１，１，…の数を増減することにより、自立式パーティションＰのサイズを容易に変更できる。
【００２０】
図２の斜視図及び図３の要部拡大正面図に示すように、パーティション構成体１は、床面又は地面Ｅに接地するベース部材２と、ベース部材２に立設されて上方へ伸びる仕切部材３である棒体４とからなる。
ここで、ベース部材２は、タングステン、鉛、銅若しくは鉄等、又はこれらを組み合わせてなる、非常に重い素材で形成される重錘、又はクッション性のある表面素材の中に前記非常に重い素材を収容してなる重錘である。
また、仕切部材３である棒体４は、ポリアセタール、ポリプロピレン、ポリエチレンテレフタレート、ナイロン若しくはＡＢＳ等のプラスチック、若しくは繊維強化プラスチック等の非常に軽い素材で形成される。なお、棒体４を、より軽量にするために、塩化ビニル樹脂等の中空体の中に空気や窒素等の気体を注入したものとしてもよい。
なお、ベース部材２の上部や棒体４の下部に、比較的軽量であるマグネシウム又はアルミニウム等の軽合金を用いてもよい。
【００２１】
図４（ａ）及び図４（ｂ）の要部拡大正面図に示すように、ベース部材２は倒れ方向Ｃへ傾く角度の大きさによって接地点Ａが変わる曲面部Ｂを有する。
そして、ベース部材２が倒れ方向Ｃへ傾き、図４（ａ）のように鉛直から水平の中間の傾斜角度で傾いた状態であっても、図４（ｂ）のように水平まで傾いた状態であっても、ベース部材２及び仕切部材３を含むパーティション構成体１全体の重心Ｇは、接地点Ａ上の鉛直線Ｖと倒れ方向Ｃを含む平面に直交する、鉛直線Ｖを含む平面Ｄよりもベース部材２の底Ｓ側に位置する。
よって、パーティション構成体１に対して、接地点Ａまわりに倒れ方向と逆方向のモーメントが作用し、パーティション構成体１は起き上がりこぼし状に動作するので、風力や人力等により仕切部材３である棒体４を倒す方向の力が作用して傾斜しても、例えば図５の説明図に示すように、パーティション構成体１は、Ｐ１からＰ２、Ｐ３、Ｐ４を経てＰ５の直立状態に復帰する。
【００２２】
ベース部材２は、図６の要部拡大正面図に示すように、底Ｓを平面Ｆにしてもよく、このような形状にした場合であっても、ベース部材２には、倒れ方向Ｃへ傾く角度の大きさによって接地点Ａが変わる曲面部Ｂを設ける。
そして、ベース部材２が倒れ方向Ｃへ傾き、図７（ａ）のように鉛直から水平の中間の傾斜角度で傾いた状態であっても、図７（ｂ）のように水平まで傾いた状態であっても、ベース部材２及び仕切部材３を含むパーティション構成体１全体の重心Ｇは、接地点Ａ上の鉛直線Ｖと倒れ方向Ｃを含む平面に直交する、鉛直線Ｖを含む平面Ｄよりもベース部材２の底Ｓ側に位置することから、図４に対する前記説明と同様のモーメントが作用するので、パーティション構成体１は起き上がりこぼし状に動作する。
図６並びに図７（ａ）及び図７（ｂ）のようにベース部材２の底Ｓを平面Ｆにすることにより、パーティション構成体１は直立状態で安定する。
【００２３】
図８の斜視図に示すように、床面又は地面Ｅに敷設したレールＲ上にパーティション構成体１の複数を並置することにより、自立式パーティションＰを形成してもよい。
このような構成によれば、任意の平面形状のレールＲ上に位置決めしながらパーティション構成体１，１，…を迅速に並べることができるとともに、パーティション構成体１，１，…を綺麗に並べることができるので自立式パーティションＰの見栄えがよくなる。
特にレールＲをフレキシブルなもとし、その平面形状を可変にすれば、自立式パーティションＰの平面形状の変更作業が容易になる。
なお、パーティション構成体１，１，…は、床面又は地面Ｅ上に設置した、レールＲ以外の部材上に並置してもよい。
【００２４】
以上のような構成のパーティション構成体１によれば、起き上がりこぼし状に動作するので、風力や人力等により仕切部材３を倒す方向の力が作用して傾斜しても、パーティション構成体１は直立状態に復帰する。
よって、特許文献３及び非特許文献１のように接地面積を大きくした板状のベース部材にする必要はなく、ベース部材２がコンパクトになるので、設置スペースが小さくなるとともに、運搬やレイアウト変更等の際に取り回ししやすくなる。
また、パーティション構成体１，１，…を並置してなる自立式パーティションＰにおいて、面で空間を仕切らずにパーティション構成体１毎に存在する仕切部材３で空間を仕切るため、圧迫感や閉塞感を感じることがない。
さらに、パーティション構成体１，１，…を並置してなる自立式パーティションＰにおいて、風力や人力等により揺れ動くことから、幾何学的で動きの無いオフィス等の空間に動きが生まれるので、周囲の人に癒し感や安らぎ感を与えることができる。
さらにまた、起き上がりこぼし状に動作するパーティション構成体１，１，…を床面若しくは地面Ｅ、又は床面又は地面Ｅ上に設置した部材に並置して自立式パーティションＰを形成するので、レイアウトの自由度が非常に高くなる。
【００２５】
図９（ａ）の平面図、及び図９（ｂ）の斜視図は、ベース部材２に永久磁石を備えることにより、隣り合うベース部材２，２同士を磁気吸引力で連結した例を示している。
ここで、ベース部材２に備える永久磁石としては、磁化の強さに方向性が無い等方性磁石が好ましい。
このような構成によれば、磁気吸引力によりベース部材２，２同士を容易に連結できるとともに、連結したベース部材２，２同士を容易に分離できる。
よって、隣り合うパーティション構成体１，１同士を連結することにより、パーティション構成体１単体の前記起き上がりこぼし状に動作する力が弱い場合であっても自立式パーティションＰに所要の安定性を保持させることができるとともに、隣り合うパーティション構成体１，１同士が衝突して音を立てることがなくなる。
また、連結したベース部材２，２同士を分離することにより、運搬やレイアウト変更等の際の取り回しに支障が生じることがない。
さらに、磁気吸引力により連結した複数のパーティション構成体１，１，…が揺れ動く際に、磁気吸引力が相互に作用するので、より有機的な連動性のある動きが可能となる。
【００２６】
図１０の斜視図はパーティション構成体１の形状の変形例であり、図１０（ａ）はベース部材２の上部Ｈを平面視六角形状に形成した例、図１０（ｂ）はベース部材２の上部Ｈを平面視五角形状に形成した例、図１０（ｃ）は仕切部材３を板体５にした例を示している。
【００２７】
図１１（ａ）の平面図、及び図１１（ｂ）の斜視図は、ベース部材２の上部Ｈを平面視六角形状に形成した図１０（ａ）のパーティション構成体１を並置して形成した自立式パーティションＰの一例を示している。
ベース部材２の上部Ｈが平面視六角形状であるので、隣り合うパーティション構成体１，１の上部Ｈを当接するように配置することにより、パーティション構成体１単体が前記起き上がりこぼし状に動作する力が弱い場合であっても自立式パーティションＰに所要の安定性を保持させることができる。なお、このような構成において、ベース部材２に永久磁石を備えさせて、隣り合うベース部材２，２同士を磁気吸引力で連結するようにしてもよい。
【００２８】
図１２（ａ）の平面図、及び図１２（ｂ）の斜視図は、仕切部材３を板体５にした図１０（ｃ）のパーティション構成体１を並置して形成した自立式パーティションＰの一例を示している。
仕切部材３が板体５であるので、パーティション構成体１，１，…を並置する配置の仕方により、ブラインドのように視線の遮蔽率を可変にできる。なお、このような構成において、ベース部材２に永久磁石を備えさせて、隣り合うベース部材２，２同士を磁気吸引力で連結することにより、前記遮蔽率の変動が少なくなる。
【００２９】
図１３（ａ）ないし図１３（ｃ）の斜視図は、複数の可撓性部材６，６，…により仕切部材３を形成した例を示している。ここで、可撓性部材６は、例えば合成樹脂製の細い線状体であり、途中から分岐したものであってもよい。
図１３（ａ）のようなパーティション構成体１単体における可撓性部材６，６，…の本数を選択することにより、例えば図１３（ｂ）のようにパーティション構成体１，１，…を並置してなる自立式パーティションＰにおいて、目隠し可能範囲を調節できる。
その上、複数の可撓性部材６，６，…により仕切部材３を形成することにより、複数の可撓性部材が風力等により揺れ動きやすく、より自然な印象を与えるので、周囲の人に癒し感や安らぎ感を与える効果が大きくなる。
また、図１３（ｃ）に示すように、可撓性部材６の先端に適宜形状の装飾具７を取り付けてもよく、それにより目隠し可能範囲を調節できる。
その上、丸みを持たせた、例えば球体の装飾具７により、細い線状体である可撓性部材６の先端による怪我等を防止できる。
【００３０】
図１４の斜視図は、仕切部材３に蓄光体又は発光体Ｌを備えた例を示している。
ここで、前記蓄光体は、例えば仕切部材３である棒体４の表面に塗布した蓄光塗料であり、太陽光や蛍光灯などの光エネルギー（紫外線）を吸収し、暗闇で徐々に光を放出する。
また、前記発光体は、例えば発光ダイオード又は半導体レーザーであり、ベース部材２の上部又は仕切部材３の下部に組み込んだ回路及び電源により駆動されて発光する。
このような構成によれば、仕切部材３が備える蓄光体又は発光体Ｌにより夜間消灯時や非常時における足元の視認性が高まるので安全性が高くなる。
その上、屋外で使用することで蓄光体又は発光体Ｌにより庭等のデコレーション効果があるとともに、防犯性を高める効果もある。
【００３１】
図１５の斜視図は、パーティション構成体１の複数１，１，…を離間させて並置し、パーティョン構成体１，１同士の間に薄膜体８を取り付けて自立式パーティションＰにした例を示している。
パーティション構成体１の棒体４の上下に取り付けた上部取付具９及び下部取付具１０により薄膜体８を支持しており、薄膜体８は棒体４に対して着脱可能である。
ここで、薄膜体８は、例えば、ポリエチレン、ポリプロピレン、ポリスチレン、又はポリ塩化ビニル等の合成樹脂製の薄膜体（フィルム）であるが、布製又は紙製の薄膜体であってもよく、メッシュ状等であってもよい。
【００３２】
薄膜体８は、可撓性があるとともに非常に軽量であり、前記のとおり棒体４に対して着脱可能に取り付けられるので、運搬やレイアウト変更等の際における取り回しが非常に容易になる。
その上、薄膜体８を備えた自立式パーティションＰによれば、パーティション構成体１，１，…を離間させずに並置して自立式パーティションＰにするものよりもパーティション構成体１，１，…の数を減らすことができるので、コストを低減できる。
その上さらに、パーティション構成体１，１同士の間に取り付けた、可撓性のある薄膜体８の面で空間を仕切る構成であり、薄膜体８は、例えば、透明や半透明にすること又は着色したり模様を付すことも容易であるので、圧迫感や閉塞感を与えにくい構成にすることができる。
その上、薄膜体８によりパーティション構成体１，１同士が繋がっていることから、複数のパーティション構成体１，１，…が揺れ動く際に、より有機的な連動性のある動きが可能となる。
【００３３】
以上のとおり、本発明のパーティション構成体１は、床面等に接地するベース部材２と、ベース部材２に立設されて上方へ伸びる仕切部材３とにより構成され、起き上がりこぼし状に動作して自立するという条件を満足する範囲内で、ベース部材２及び仕切部材３を任意の形状にすることができる。
そして、パーティション構成体１の１種類又は複数種類を選択して、複数のパーティション構成体１，１，…を自由なレイアウトで配置できる。
【符号の説明】
【００３４】
１  パーティション構成体
２  ベース部材
３  仕切部材
４  棒体
５  板体
６  可撓性部材
７  装飾具
８  薄膜体
９  上部取付具
１０  下部取付具
Ａ  接地点
Ｂ  曲面部
Ｃ  倒れ方向
Ｄ  鉛直線を含む平面
Ｅ  床面又は地面
Ｆ  平面部
Ｇ  重心
Ｈ  上部
Ｌ  蓄光体又は発光体
Ｐ  自立式パーティション
Ｒ  レール
Ｓ  底
Ｖ  接地点上の鉛直線
【図１】
2018031232.tif 000003
【図２】
2018031232.tif 000004
【図３】
2018031232.tif 000005
【図４】
2018031232.tif 000006
【図５】
2018031232.tif 000007
【図６】
2018031232.tif 000008
【図７】
2018031232.tif 000009
【図８】
2018031232.tif 000010
【図９】
2018031232.tif 000011
【図１０】
2018031232.tif 000012
【図１１】
2018031232.tif 000013
【図１２】
2018031232.tif 000014
【図１３】
2018031232.tif 000015
【図１４】
2018031232.tif 000016
【図１５】
2018031232.tif 000017